(57)【要約】【課題】  １つのキーで複数の機能を実施可能な電子機器を提供する。【解決手段】  プリント基板１上にフレキシブルプリント基板２、メタルドーム３が順に配置され、  前記フレキシブルプリント基板２は、前記メタルドーム３と接続する位置に第１の接点パターン１０が配置され、前記メタルドーム３内方の前記メタルドーム３と対向する位置に第２の接点パターン１１が配置され、前記第２の接点パターン１１が形成されている面の裏面側には第３の接点パターン１２、１３が配置され、  前記プリント基板１において、前記第３の接点パターン１２、１３と対向する位置に第４の接点パターン１７が配置されていることを特徴とする。【選択図】      図３
2006333305.tif 000002
【特許請求の範囲】
【請求項１】
プリント基板上にフレキシブルプリント基板、メタルドームが順に配置され、前記フレキシブルプリント基板は、と電気的に接続する位置に第１の接点パターンが配置され、前記メタルドーム内方の前記メタルドームと対向する位置に第２の接点パターンが配置され、前記第２の接点パターンが形成されている面の裏面側には第３の接点パターンが配置され、前記プリント基板において、前記第３の接点パターンと対向する位置に第４の接点パターンが配置され、前記メタルドームが押下されると前記フレキシブルプリント基板が下方に撓んで前記第３のパターンと前記第４の接点パターンが短絡し、また、前記メタルドームが押下されると前記メタルドームの変形により前記第１の接点パターンと前記第２の接点パターンが短絡することを特徴とする電子機器。
【請求項２】
請求項１記載の電子機器であり、前記メタルドームが押下されるとまず前記第３のパターンと前記第４の接点パターンが短絡し、続いてより強い力で前記メタルドームが押下されると前記第１の接点パターンと前記第２の接点パターンが短絡することを特徴とする電子機器。
【請求項３】
請求項１記載の電子機器であり、前記プリント基板と前記フレキシブルプリント基板との間にはスペーサが介在しており、前記スペーサは、前記メタルドームにより押圧された前記フレキシブルプリント基板が下方に撓むことができる空部を有することを特徴とする電子機器。
【請求項４】
請求項１記載の電子機器であり、前記フレキシブルプリント基板は小さな押圧で撓むように穴部を有することを特徴とする電子機器。
【請求項５】
請求項１記載の電子機器であり、更に撮像部と制御部を有し、前記制御部は、前記第３の接点パターンと前記第４の接点パターンが短絡したと判定すると、前記撮像部を制御することにより焦点合わせの制御を実行し、続いて前記第１の接点パターンとは前記第２の接点パターンが短絡したと判定すると、前記撮像部を制御することにより撮像を実行することを特徴とする電子機器。
【発明の詳細な説明】
【技術分野】
【０００１】
本発明は、携帯電話等の電子機器に関する。
【背景技術】
【０００２】
従来の携帯電話装置といった電子機器の入力機構は、例えば図６に示すような構成であった。
【０００３】
図６は、折畳み式の携帯電話装置の入力機構（テンキー、通話キー、切キー等）を有する筐体部分の分解斜視図であり、上ケース１と下ケース２との間に、プリント基板３、メタルドーム４、キーシート５が順に配置されている。
【０００４】
ユーザがキーを押下することにより、キーシート５下方に配置されたメタルドーム４がプリント基板３へ圧接され、プリント基板３上に露出した２つの信号ラインがメタルドーム４を介して電気的に接続し、この接続を制御部が検出することにより、制御部は、キーが押下されたと判定する（下記特許文献１参照）。
【特許文献１】特開２００２−３４１９９５号公報
【発明の開示】
【発明が解決しようとする課題】
【０００５】
ところで、近年カメラ機能を搭載した携帯電話が爆発的に普及し、殆どの機種でカメラ機能が搭載されるようになった。又、携帯電話に搭載されるＣＣＤ（Ｃｈａｒｇｅ  Ｃｏｕｐｌｅｄ  Ｄｅｖｉｃｅ）といった撮像素子の画素数も１００万画素や３００万画素といった高画素数のものが搭載されるようになり、携帯電話装置においても、高画質な画像を撮影できることが要求されている。例えば、機能的な面において、ユーザが１回シャッターを押下するだけで即座に撮像動作に入るのではなく、１回軽くシャッターを押下することにより焦点をあわせ、続いてユーザが強くシャッターを押下することにより撮像動作を行うといった、通常のデジタルカメラで必要な技術が、携帯電話にも要求されつつある。
【０００６】
しかしながら、このような機能を搭載するにあたり、上述した従来技術では、ただ単に、制御部が、メタルドームとプリント基板上の信号ラインとが電気的に接続しているか否かを検出するだけであり、キーが軽く押下され続いて強く押下されたかといった判定は構造上できない。かといって、複雑な機構のキーを携帯電話に搭載させようとしても、携帯電話装置は小型化が要求されている為、そのようなキーを搭載させるスペースを確保することは困難である。
【０００７】
本発明はこのような課題に鑑みなされたものであり、キーが軽く押下され続いて強く押下されたかといった判定が可能な電子機器を提供するものである。
【課題を解決するための手段】
【０００８】
請求項１に記載の発明は、プリント基板上にフレキシブルプリント基板、メタルドームが順に配置され、前記フレキシブルプリント基板は、と電気的に接続する位置に第１の接点パターンが配置され、前記メタルドーム内方の前記メタルドームと対向する位置に第２の接点パターンが配置され、前記第２の接点パターンが形成されている面の裏面側には第３の接点パターンが配置され、前記プリント基板において、前記第３の接点パターンと対向する位置に第４の接点パターンが配置され、前記メタルドームが押下されると前記フレキシブルプリント基板が下方に撓んで前記第３のパターンと前記第４の接点パターンが短絡し、また、前記メタルドームが押下されると前記メタルドームの変形により前記第１の接点パターンと前記第２の接点パターンが短絡することを特徴とする。
請求項２記載の電子機器は、請求項１記載の電子機器であり、前記メタルドームが押下されるとまず前記第３のパターンと前記第４の接点パターンが短絡し、続いてより強い力で前記メタルドームが押下されると前記第１の接点パターンと前記第２の接点パターンが短絡することを特徴とする。
請求項３記載の電子機器は、請求項１記載の電子機器であり、前記プリント基板と前記フレキシブルプリント基板との間にはスペーサが介在しており、前記スペーサは、前記メタルドームにより押圧された前記フレキシブルプリント基板が下方に撓むことができる空部を有することを特徴とする。
請求項４記載の電子機器は、請求項１記載の電子機器であり、前記フレキシブルプリント基板は小さな押圧で撓むように穴部を有することを特徴とする。
請求項５記載の電子機器は、請求項１記載の電子機器であり、更に撮像部と制御部を有し、前記制御部は、前記第３の接点パターンと前記第４の接点パターンが短絡したと判定すると、前記撮像部を制御することにより焦点合わせの制御を実行し、続いて前記第１の接点パターンとは前記第２の接点パターンが短絡したと判定すると、前記撮像部を制御することにより撮像を実行することを特徴とする。
【発明の効果】
【０００９】
本発明によれば、携帯電話といった通信装置の狭い空間内で、キーが軽く押下され続いて強く押下されたかを検出可能な入力機構を実現している。このため、ユーザが軽くキーを押下することにより焦点をあわせ、続いて強く押下することにより撮像動作に入るといった機能を携帯電話機のような電子機器に搭載し実施することが可能である。
【００１０】
請求項１及び２に記載の発明によれば、ユーザが１つのキーを弱く押したか又は強く押したかを判定することが可能である。これにより、携帯電話等のキーの配置スペースが限られた電子機器において、１つのキーで複数の機能を実行することが可能である。
【００１１】
又、請求項３に記載の発明によれば、スペーサを介在させることにより、フレキシブルプリント基板と基板との間に空間を形成することが可能である。これにより、ユーザがキーを弱く押下した際に、確実にフレキシブルプリント基板裏面に形成された電極とプリント基板上の電極が電気的に接続したことを検出することが可能である。又、キーの非押下時に、誤って、フレキシブルプリント基板裏面に形成された電極とプリント基板上の電極が電気的に接続することを回避することが可能である。
【００１２】
又、請求項４に記載の発明によれば、容易にプリント基板が撓むことができる。
【００１３】
更に、請求項５に記載の発明によれば、１つのキーで、焦点合わせと撮像動作の２つの動作を行うことが可能である。
【発明を実施するための最良の形態】
【００１４】
図１は本発明を適用してなる実施例装置（携帯電話装置）の分解斜視図である。図１において、携帯電話装置は表示部１１０を有する第１の筐体１００とテンキー等からなる入力部２１０を有する第２の筐体２００とからなり、第２の筐体２００には、プリント基板１、フレキシブルプリント基板２（以下、ＦＰＣと称す）、メタルドーム３、キーシート４が順に配置されている。
【００１５】
図２は、図１に示すＦＰＣ２の上面図と裏面図である。ＦＰＣ２の上面には、２つの接点パターン１０、１１が形成されおり、裏面にも２つの接点パターン１２、１３が形成されている。ＦＰＣ２上面の２つの接点パターン１０、１１が、キー押下時にメタルドーム３と電気的に接続し、ＦＰＣ２裏面の２つの接点パターン１２、１３がキー押下時にプリント基板１上の接点パターンと電気的に接続する。又、上記接点パターン１０、１１、１２、１３は図示しない制御部と電気的に接続されており、前記制御部は、前記接点パターン１２と１３が電気的に接続されることにより、弱く押下されたと判定し、前記接点パターン１０と１１が電気的に接続されることにより、強く押下されたと判定する。
【００１６】
又、ＦＰＣ２には、４つの穴部１４〜１７が形成されている。これは、キーが押下された際にＦＰＣ２が撓みやすくなる為に、即ち、ＦＰＣ２裏面の接点パターン１２、１３がプリント基板上に形成されている接点パターンと電気的に接続しやすくする為のものである。
【００１７】
図３は、本実施例装置の断面図を示している。
【００１８】
図３において、プリント基板１上には接点パターン１７と、例えば非導電性の樹脂からなるスペーサ１８が配置されている。又、前記プリント基板１の上方には、ＦＰＣ２、メタルドーム３が順に配置されている。
【００１９】
ＦＰＣ２の裏面には接点パターン１２、１３が形成され、表面には接点パターン１１が形成されている。又、ＦＰＣ２とメタルドーム３との接続部分には、接点パターン１０が形成されている。更に、メタルドーム３は導電性であると共に略ドーム形状である。
【００２０】
次に図３から図４を用いて動作について説明する。
【００２１】
先ず、ユーザが撮影時に、軽くキーを押下すると、図３から図４に示すように、ＦＰＣ２が撓み、ＦＰＣ２裏面に形成されている２つの接点パターン１２、１３とプリント基板１上の接点パターン１７とが電気的に接続される。この電気的接続を制御部が検出することにより、制御部が、ＣＣＤ等からなる撮像部を制御し、焦点を合わす動作が実行される。具体的には、接点パターン１２、１３夫々が、ＦＰＣ２上で形成された図示せぬ配線パターンを介して制御部と接続されており、接点パターン１７とグランドが接続され、又、接点パターン１２、１３と制御部には電圧がかかっている状態で、キーが押下され、接点パターン１７と接点パターン１２、１３が接続すると、接点パターン１２、１３の電位がグランドレベルにまで落ち、このことを制御部が検出することにより、キーが弱く押下されたと判定される。尚、焦点を合わす動作とは、例えば撮像部のレンズを移動させることにより行われる。
【００２２】
続いて、ユーザが図４に示す状態から更にキーを押下すると、図５に示すように、メタルドーム３とＦＰＣ２上面に形成された接点パターン１１とが電気的に接続される。この電気的接続を制御部が検出することにより、制御部が、ＣＣＤ等からなる撮像部を制御し、撮像動作が実行される。
【００２３】
具体的には、接点パターン１０と図示せぬ制御部は、ＦＰＣ２上に形成された配線パターンにより電気的に接続されており、一方、接点パターン１１とグランドが接続されており、接点パターン１０と制御部には電圧がかかっている状態で、キーが押下され、メタルドーム３と接点パターン１１が接続すると、メタルドーム３と電気的に接続された接点パターン１０の電位がグランドレベルにまで落ち、このことを制御部が検出することにより、キーが強く押下されたと判定される。
【００２４】
尚、ＦＰＣ２が撓む際には、穴部１４〜１７が形成されているために容易にＦＰＣ２が撓むことが可能である。
【００２５】
又、本実施例では、ＦＰＣ２よりもメタルドーム３の方が剛性がある為に、メタルドーム３を軽く押下すると先ずＦＰＣ２が撓み、接点パターン１２、１３、１７が電気的に接続し、続いて、メタルドーム３を強く押下すると、メタルドーム３と接点パターン１１が電気的に接続するようになったが、逆に、ＦＰＣ２をメタルドーム３より剛性を持たせた場合には、メタルドーム３を軽く押下すると、先にメタルドーム３と接点パターン１１が電気的に接続し、続いてメタルドーム３を強く押下すると、接点パターン１２、１３、１７が電気的に接続する。この場合、メタルドーム３と接点パターン１１が接続すると焦点を合わせる制御を行い、接点パターン１２、１３、１７が接続すると撮像動作の制御を行わせると良い。
【００２６】
更に、接点パターン１２、１３は１つでも良い。この場合、例えば接点パターン１７をグランドラインと接続し、接点パターン１２又は１３を制御部と接続する構成が考えられる。
又、スペーサ１８は樹脂としたが、マグネシウム合金等の金属を用いても良く、携帯電話の筐体やそれを支える枠をスペーサ１８と兼用させても良い。
更に、本位実施例では、携帯電話装置について実施したが、コードレス電話、ファクシミリ、等他の電子機器についても同様に実施することが可能である。
【００２７】
以上説明したように、本実施例装置では、携帯電話装置のようなキーの配置スペースの少ない電子機器においても、ユーザが１つのキーを軽く押下したことと続いて強く押下したことを検出する機能を搭載可能である。このため、例えば、撮像時のピント（焦点）合わせと撮像動作の２つを１つのキーで実行することが可能である。
【００２８】
また、軽く押下すれば選択肢の送りを１つづつ行い、強く押下すれば１０桁ジャンプすることができることも考えられ、切り替わり速度を２段階に変えることも考えられる。
【図面の簡単な説明】
【００２９】
【図１】本実施例装置の分解斜視図である。
【図２】本実施例装置の表面図と裏面図である。
【図３】本実施例装置の断面図である。
【図４】本実施例装置の断面図である。
【図５】本実施例装置の断面図である。
【図６】従来装置の分解斜視図である。
【符号の説明】
【００３０】
１  プリント基板
２  フレキシブルプリント基板
３  メタルドーム
１０  接点パターン
１１  接点パターン
１２  接点パターン
１３  接点パターン
１７  接点パターン
１８  スペーサ
【図１】
2006333305.tif 000003
【図２】
2006333305.tif 000004
【図３】
2006333305.tif 000005
【図４】
2006333305.tif 000006
【図５】
2006333305.tif 000007
【図６】
2006333305.tif 000008